(57)【要約】 【課題】  ２本、または、３本の重合した櫛をもって、皮膚に近接した箇所において安全に曲折を行える整髪用櫛である。【解決手段】  二本の櫛を互いに密接するように重ね合わせ、一の櫛１を合成樹脂製とし、他の櫛２をステンレス製とし、合成樹脂製の櫛１の末端部付近に、長手方向に沿って凹溝Ａを穿設し、ステンレス製の櫛の末端をコ字状に折り曲げ、折り曲げ部３の先端Ｂを、前記凹溝に、摺動可能に嵌挿した整髪用櫛と、さらに、三本の櫛４，５，６を互いに密接するように重ね合わせ、中央の櫛４をステンレス製とし、両側の櫛５，６を合成樹脂製とし、これら両側の櫛の末端部付近に、長手方向に沿って凹溝Ａをそれぞれ穿設し、中央のステンレス製の櫛の末端をＴ字状に形成すると共に、Ｔ字状のそれぞれ先端をコ字状に折り曲げ、折り曲げ部のそれぞれ先端Ｃ，Ｃ′を、前記合成樹脂製の櫛５，６のそれぞれ凹溝に、摺動可能に嵌挿した整髪用櫛。【選択図】        図２
2005152411.tif 000002
【特許請求の範囲】
【請求項１】
二本の櫛（１）（２）を互いに密接するように重ね合わせ、一の櫛（１）を合成樹脂製あるいはステンレス製とし、他の櫛（２）を合成樹脂製あるいはステンレス製とし、合成樹脂製の櫛（１）の末端部付近に、長手方向に沿って凹溝（Ａ）を穿設し、ステンレス製の櫛（２）の末端をコ字状に折り曲げ、折り曲げ部（３）の先端（Ｂ）を、前記凹溝（Ａ）に、摺動可能に嵌挿したことを特徴とする整髪用櫛。
【請求項２】
三本の櫛（４）（５）（６）を互いに密接するように重ね合わせ、中央の櫛（４）をステンレス製とし、両側の櫛（５）（６）を合成樹脂製とし、これら両側の櫛（５）（６）の末端部付近に、長手方向に沿って凹溝（Ａ）をそれぞれ穿設し、中央のステンレス製の櫛（４）の末端をＴ字状に形成すると共に、Ｔ字状のそれぞれ先端をコ字状に折り曲げ、折り曲げ部のそれぞれ先端（Ｃ）（Ｃ′）を、前記合成樹脂製の櫛（５）（６）のそれぞれ凹溝（Ａ）に、摺動可能に嵌挿したことを特徴とする整髪用櫛。
【請求項３】
三本の合成樹脂製の櫛（４）（５）（６）を互いに密接するように重ね合わせ、これら両側の櫛（５）（６）の末端部付近に、長手方向に沿って凹溝（Ａ）をそれぞれ穿設し、中央のステンレス製の櫛（４）の末端をＴ字状に形成すると共に、Ｔ字状のそれぞれ先端をコ字状に折り曲げ、折り曲げ部のそれぞれ先端（Ｃ）（Ｃ′）を、前記合成樹脂製の櫛（５）（６）のそれぞれ凹溝（Ａ）に、摺動可能に嵌挿したことを特徴とする整髪用櫛。
【発明の詳細な説明】
【技術分野】
【０００１】
この発明は、整髪用櫛に関するものであり、特に、男性の整髪の際にパーマネントをかけるために使用する櫛に係わるものである。
【背景技術】
【０００２】
従来、頭髪にパーマネントをかける場合には、理髪用電気アイロンによって髪を挟持して加熱しつつ９０°以上に曲折した後、定着液を塗布してこの曲折状態を定着するためのものであるが、アイロンがかなりの高温となるために、皮膚に近接した場合には、火傷をする恐れがあるため、皮膚より１センチメートル位離れた箇所の頭髪を挟持していた。
【０００３】
そのために、次の整髪までの間に頭髪が伸びてこの曲折部が、皮膚より２センチメートル以上も離れて甚だ不体裁となるものである。
【０００４】
そして、かかる危険のあるアイロンを使用せず、２本の重合した櫛で皮膚に近接した箇所において曲折を行うようにしたものが存在する。
【特許文献１】実公昭４８−４０１４６号公報
【０００５】
しかし、この考案は、二本の櫛の素材を、それぞれポリエステル等の合成樹脂で構成しており、その重ね合せ手段が煩雑であるという欠点がある。
【発明の開示】
【発明が解決しようとする課題】
【０００６】
そこでこの発明は、２本、または、３本の重合した櫛をもって、皮膚に近接した箇所において安全に曲折を行うようにした整髪用櫛であって、その重合構成手段も簡単な整髪用櫛を開発することにある。
【課題を解決するための手段】
【０００７】
そして、この発明は、危険のあるアイロンを使用せず、２本の櫛の一をステンレス製とし、または、３本の櫛の場合は、中央の櫛をステンレス製とし、これら重合した櫛で皮膚に近接した箇所において曲折を行うようにしたものである。
【発明の効果】
【０００８】
この発明によると、パーマネントセットに当たり、この発明の櫛を使用することにより、電気アイロン等を使用する必要がなく、毛髪の損傷又は皮膚の火傷等の危険もなく、電気コード等の邪魔物がないために、セット作業も容易となり、皮膚に近接して曲折できるため、仕上がりも優美となり、永くパーマネントの状態を持続でき、また、櫛の素材をステンレスとすることにより重合機構を簡単に製造できるものである。
【発明を実施するための最良の形態】
【０００９】
次に、この発明の最良の形態を述べると、図１〜図３に示すように、二本の櫛（１）（２）を互いに密接するように重ね合わせ、一の櫛（１）を合成樹脂製とし、他の櫛（２）をステンレス製とし、合成樹脂製の櫛（１）の末端部付近に、長手方向に沿って凹溝（Ａ）を穿設し、ステンレス製の櫛（２）の末端をコ字状に折り曲げ、折り曲げ部（３）の先端（Ｂ）を、前記凹溝（Ａ）に、摺動可能に嵌挿したことを特徴とする整髪用櫛から構成される。
【００１０】
次に、この発明の一実施例を述べると、図４〜図６に示すように、三本の櫛（４）（５）（６）を互いに密接するように重ね合わせ、中央の櫛（４）をステンレス製とし、両側の櫛（５）（６）を合成樹脂製とし、これら両側の櫛（５）（６）の末端部付近に、長手方向に沿って凹溝（Ａ）をそれぞれ穿設し、中央のステンレス製の櫛（４）の末端をＴ字状に形成すると共に、Ｔ字状のそれぞれ先端をコ字状に折り曲げ、折り曲げ部のそれぞれ先端（Ｃ）（Ｃ′）を、前記合成樹脂製の櫛（５）（６）のそれぞれ凹溝（Ａ）に、摺動可能に嵌挿したことを特徴とする整髪用櫛から構成される。
【００１１】
また、この発明の他の実施例を述べると、三本の合成樹脂製の櫛（４）（５）（６）を互いに密接するように重ね合わせ、これら両側の櫛（５）（６）の末端部付近に、長手方向に沿って凹溝（Ａ）をそれぞれ穿設し、中央のステンレス製の櫛（４）の末端をＴ字状に形成すると共に、Ｔ字状のそれぞれ先端をコ字状に折り曲げ、折り曲げ部のそれぞれ先端（Ｃ）（Ｃ′）を、前記合成樹脂製の櫛（５）（６）のそれぞれ凹溝（Ａ）に、摺動可能に嵌挿したことを特徴とする整髪用櫛。
【００１２】
尚、一方の櫛の表面側の各歯先にＬ字状の突起（Ｄ）を設けており、挟持した髪が櫛を摺動する際に、櫛の歯先より外れることを防ぐためのものである。
【００１３】
次に、この発明の実施にあたっては、整髪後の仕上げにおいて、パーマネントをかけようとする箇所（例えば、側頭部、毛渦部等）に、二本の櫛の歯が合致した状態にて頭髪（Ｅ）中に挿入した後、一の櫛を横に摺動させれば、頭髪は櫛の間に挟まれたまま直角に曲折されるので、この部分にコールド液を塗布し１０〜１５分間放置した後、定着液を塗布して再び１０〜１５分間放置することにより曲折部はそのままの形状を保持することとなり、パーマネントセットを完了するものである。
【００１４】
尚、三本の櫛の場合には、三本の櫛の歯が合致した状態にて頭髪（Ｅ）中に挿入した後、一の櫛を横に摺動させれば、頭髪は櫛の間に挟まれたまま直角に曲折され、さらに、他の櫛を一の櫛と反対方向に摺動させれば、交互に曲折されるので、この部分にコールド液を塗布し１０〜１５分間放置した後、定着液を塗布して再び１０〜１５分間放置することにより交互に曲折された曲折部はそのままの形状を保持することとなり、パーマネントセットを完了するものである。
【産業上の利用可能性】
【００１５】
この発明は、二本または三本の重合した櫛を製造することにより、その重合する技術を確率し、かつ寄与する点で産業上の利用可能性を有する。
【図面の簡単な説明】
【００１６】
【図１】この発明の一実施例を示すもので、（ａ）は一の櫛の裏面を示し、（ｂ）は他の櫛の表面をあらわす。
【図２】この発明の一実施例を示し、図１のＸ─Ｘ線における拡大断面図である。
【００１７】
【図３】この発明の使用状態を示すもので、図２のＹ−Ｙ線における一部拡大断面図である。
【図４】この発明の他の実施例を示すもので、（ａ）は中央の櫛の裏面を示し、（ｂ）、（ｃ）は両側の櫛のそれぞれ表面をあらわす。
【図５】この発明の他の実施例を示し、図４のＸ′─Ｘ′線における拡大断面図である。
【図６】この発明の使用状態を示すもので、図５のＹ′−Ｙ′線における一部拡大断面図である。
【符号の説明】
【００１８】
１  一の櫛
２  他の櫛
３  折り曲げ部
４  中央の櫛
５  両側の櫛
６  両側の櫛
Ａ  凹溝
Ｂ  折り曲げ部の先端
Ｃ，Ｃ′  折り曲げ部のそれぞれ先端
Ｄ  Ｌ字状の突起
Ｅ  頭髪
【図１】
2005152411.tif 000003
【図２】
2005152411.tif 000004
【図３】
2005152411.tif 000005
【図４】
2005152411.tif 000006
【図５】
2005152411.tif 000007
【図６】
2005152411.tif 000008